(57)【特許請求の範囲】
【請求項１】
導電性の材料からなり、ブロック状の外体と、
この外体の中央に、当該外体の延出部の延出方向に直交する方向に形成された穴状の収納穴と、
この収納穴に収納された導電性の材料からなる線材が螺旋状に巻回された巻回体と、
この巻回体の中心に配置された強磁性の材料からなる棒体と、
上記巻回体及び棒体の下方の上記外体の表面付近に配置された下方磁石体と、
上記下方磁石体の外面に配置され、当該下方磁石体を覆っている、導電性の材料からなる導電体と、
上記下方磁石体は、上記巻回体及び上記棒体の周囲下方の上記外体の表面付近に環状に配置され、  この環状の複数の下方磁石体の内側で、上記収納穴の下方で、上記外体の下面に取り付けられ、強磁性体の材料からなる下方固定体と、を備えたことを特徴とするマッサージ具。
【請求項２】
上記下方磁石体の外面の導電体は、外体の下面のほぼ全体にわたって取り付けられた、導電性の材料からなる覆体であることを特徴とする請求項１記載のマッサージ具。
【請求項３】
上記巻回体及び棒体の上方の上記外体の表面付近に配置された上方磁石体をさらに備え、
上記収納穴の上方から装着される上方固定体と、上記下方固定体とに、上記棒体は固定されて、上記収納穴内に固定され、
上記上方磁石体は、この上方固定体内に固定されていることを特徴とする請求項１または２記載のマッサージ具。
【請求項４】
上記外体、巻回体、棒体のうち、外体または巻回体は反磁性体、弱磁性体、常磁性体または非磁性体であり、上記外体は巻回体より電気導電性が低く、上記棒体または上記下方固定体は強磁性体であることを特徴とする請求項１記載のマッサージ具。
【請求項５】
上記外体、巻回体、覆体、上方固定体、棒体のうち、外体、巻回体、覆体または上方固定体は反磁性体、弱磁性体、常磁性体または非磁性体であり、上記外体は巻回体、覆体または上方固定体より電気導電性が低く、上記棒体または上記下方固定体は強磁性体であることを特徴とする請求項２記載のマッサージ具。
【請求項６】
導電性の材料からなり、ブロック状の外体と、
この外体の中央に、当該外体の延出方向に直交する方向に形成された穴状の収納穴と、
この収納穴に収納された導電性の材料からなる線材が螺旋状に巻回された巻回体と、
この巻回体の中心に配置された強磁性の材料からなる棒体と、
上記巻回体及び棒体の下方または上方の上記外体の表面付近に配置された上方磁石体または下方磁石体と、
上記外体の下方の周囲が外方に延出されて形成された延出部と、
上記上方磁石体または上記下方磁石体の外面に配置され、当該上方磁石体または当該下方磁石体を覆っている、導電性の材料からなる導電体であって、  上記延出部の外縁に取り付けられた環状の導電体とを備えたことを特徴とするマッサージ具。
【請求項７】
上記外体、巻回体、導電体、棒体のうち、外体、巻回体または導電体は反磁性体、弱磁性体、常磁性体または非磁性体であり、上記外体は巻回体または導電体より電気導電性が低く、上記棒体は強磁性体であることを特徴とする請求項６記載のマッサージ具。
【請求項８】
上記外体は、アルミニウム、亜鉛、すず、鉛またはこれらを含む合金であり、上記導電体または上記上方固定体は、銅、銀、金またはこれらを含む合金であり、これら外体と導電体または上方固定体との間には接触電位差が生じることを特徴とする請求項５記載のマッサージ具。
【発明の詳細な説明】
【技術分野】
【０００１】
本発明は、マッサージ具に関し、特に人体などの肩、腰、手足などの各部の血行を促進する、血流を改善するまたはリンパの流れを改善する等の器具に関する。
【背景技術】
【０００２】
近年、人体のコリや痛みを取るため、種々のマッサージ具が考えられてきている。このようなマッサージ具では、回転するローラ・ボールを人体の各部に当てたり、多数の突起を人体の各部に当てたりしていた。
【０００３】
【特許文献１】実開平０５−０１３９６２号公報
【特許文献２】実開平０５−０１３９６１号公報
【特許文献３】実開平０６−０１３８２６号公報
【特許文献４】登録実用新案第３０３６８９８号公報
【発明の開示】
【発明が解決しようとする課題】
【０００４】
本件発明の課題は、従来にないマッサージ具を提供するもので、可動部分が少なく、したがって故障しにくいまたは破損しにくいマッサージ具を提供することにある。
【課題を解決するための手段】
【０００５】
上記目的を達成するために、本発明のマッサージ具は、  導電性の材料からなり、ブロック状の外体と、  この外体の中央に、上記延出部の延出方向に直交する方向に形成された穴状の収納穴と、  この収納穴に収納された導電性の材料からなる線材が螺旋状に巻回された巻回体と、  この巻回体の中心に配置された強磁性の材料からなる棒体と、  上記巻回体及び棒体の下方または上方の上記外体の表面付近に配置された上方磁石体または下方磁石体とを備えた。
【０００６】
また、本発明のマッサージ具は、上記上方磁石体または下方磁石体の外面には導電性の材料からなる導電体が配置され、この導電体は上方磁石体または下方磁石体を覆っているようにした。
【発明の効果】
【０００７】
これにより、可動部分が少なく故障しにくいまたは破損しにくくなる。また、本マッサージ具を人体などに当てると、下方磁石体の磁力が効率よく人体に当たり、血行促進、血流改善またはリンパの流れの改善が実行される。
【０００８】
また、外体等の中には棒体及び巻回体が存在するので、外体等が単一の部品からなる一体成型物であると、上記のコリ・痛みの改善、マッサージ効果が向上する。
【０００９】
さらに、上方磁石体または下方磁石体と人体との間には、下方覆体、上方固定体または環帯体が介在して上方磁石体または下方磁石体を覆っているので、上方磁石体または下方磁石体の磁気／磁力による単なる血行促進／血流改善／リンパ改善効果だけでなく、コリ・痛みを改善でき、マッサージ効果が向上する。
【００１０】
上方固定体、下方覆体または環帯体によって、上方磁石体または下方磁石体による、磁気／磁力マッサージ効果が向上する。
【発明を実施するための最良の形態】
【００１１】
（１）マッサージ具の構造
図１はマッサージ具の全体外観を示し、図２はマッサージ具の縦断面を示し、図３はマッサージ具の底面を示し、図４はマッサージ具の平面を示す。
【００１２】
外体１は円柱状で下方に向かって外側にテーパー状に広がっていて、円柱状の下方の周囲が外方に延出された延出部２が形成されている。この外体１から延出部２へかけてのテーパー面はやや凹んでいて湾曲しており、さらに外体１の上方に向かってやや太くなっている。したがって、外体１を手でつかんでも握りやすく容易に落下しないようになっている。
【００１３】
この外体１は、アルミニウムまたはアルムニウム合金などの導電性の材料からなり、円柱状のアルミニウムインゴット材料が切削加工されたり、金型成型などから、一体成型されたりして、複数の部材の組み合わせではなく、単一の部材から構成されている。
【００１４】
上記延出部２の外円周先端は薄く板状の円環板状になっており、この延出部２の環状先端外縁はわずかに凹んでおり、この環状の凹み内には帯状の銅製または銅合金製の環帯体３（導電体）がカシメ、接着、溶接またはねじ止めなどで環状に取り付けられている。
【００１５】
アルミニウム製の外体１より銅製の環帯体３の方が、電気伝導性がよく／高く、環帯体３が人体に当接接触して、アルミニウム製の外体１と銅製の環帯体３との間で接触電位差が生じ、銅製の環帯体３によって、コリ・痛みを改善でき、マッサージ効果が向上する。
【００１６】
また、電気伝導率の違いによる接触電位差が数μＶ乃至数十μＶ、例えば１０μＶほど生じて、これが人体などの細胞を活性化させ、コリ・痛みを改善でき、マッサージ効果が向上する。この環帯体３は後述する下方磁石体１３…の外面に配置され、この環帯体３は下方磁石体１３…を覆っている。
【００１７】
上記外体１の中心には上下に延びる円柱穴状の収納穴４がドリルなどで穿設されており、この収納穴４は外体１を上下方向つまり延出部２の延出方向に直交する方向に貫通しており、この収納穴４の上開口周縁は内方に環状に延出されて狭くなっていてくびれ部５が形成されている。外体１の上面は、このくびれ部５に向かってやや盛り上がっている。
【００１８】
上記収納穴４の下開口周縁は外方にやや広がって環状の中段差部６が形成されている。この収納穴４の中心／中央には円柱状または円筒状の磁心となる棒体７が固定されている。この棒体７は、鉄、ニッケル、コバルト、マンガン、ガドリウム、テルビウム、ステンレスなどの金属またはこれらの合金などの、強磁性体（フェリ磁性体を含む。以下同じ）の材料からなっており、磁力を透過させやすくなっている。
【００１９】
この棒体７の上縁及び下縁の両周面にねじ面が形成されている。上記収納穴４の上開口からはキャップ状の上方固定体８（導電体）が嵌め込まれる。この上方固定体８の上面は半球状／ドーム状で、中は空洞となっており、この半球状／ドーム状部分の下側はくびれて細い円筒状となっている。
【００２０】
上方固定体８の半球状／ドーム状部分は、収納穴４の上開口より大きく、収納穴４の上開口の中に入らず上開口の上面に当接する。上記細い円筒状部分は、収納穴４の上開口より小さく、収納穴４の上開口の中に入る。
【００２１】
この上方固定体８の円筒状部分の内側にはねじ面が形成され、これに上記棒体７の上縁の周面のねじ面が螺合されて、棒体７が上方固定体８に収納穴４内で螺合固定され、上方固定体８及び棒体７が外体１に装着固定される。
【００２２】
この棒体７の外周囲には、巻回体９が配置固定され収納穴４に収納されており、巻回体９の中心に棒体７が配置固定される。この巻回体９は、導電性の銅または同合金の銅電線の材料が螺旋状に巻回されている。
【００２３】
上記収納穴４下方の中段差部６内には、円環板状の下方固定体１０が取り付けられて収納固定され、この下方固定体１０の中央の穴の内面にねじ面が形成されている。この円環板状の下方固定体１０の直径は、中段差部６の直径より小さく、収納穴４の直径より大きい。
【００２４】
また、下方固定体１０の厚さは下方固定体１０の深さ／高さにほぼ一致している。この下方固定体１０は、鉄、ニッケル、コバルト、マンガン、ガドリウム、テルビウム、ステンレスなどの金属またはこれらの合金などの、強磁性体の材料からなっており、磁力を透過させやすくなっている。
【００２５】
上記下方固定体１０のねじ面には、上記棒体７の下縁の周面のねじ面が螺合されて、棒体７が下方固定体１０に収納穴４内で螺合固定され、下方固定体１０、棒体７及び上記上方固定体８が外体１に装着固定される。ここで、外体１は、ちょうど棒体７と上方固定体８と下方固定体１０とに挟まれるような状態で、互いに固定装着される。
【００２６】
下方固定体１０には、対向する位置に２つの穴が形成され、この穴に、下方固定体１０を棒体７の下縁に着脱するための回転工具が取り付けられたり、取り外されたりする。
【００２７】
上記キャップ状の上方固定体８（導電体）の中には、円板状の上方磁石体１１が収納固定されており、上方磁石体１１は上記巻回体及び棒体の上方であって、上記外体１の上面／上方表面付近に配置固定されており、上方固定体８は上方磁石体１１の外面／表面付近に配置され上方磁石体１１を覆っている。
【００２８】
この上方磁石体１１の直径は、上記棒体７の太さとほぼ同じである。この上方磁石体１１は、ネオジウム磁石、フェライト磁石、アルニコ磁石、その他の永久磁石などからなり、この磁気／磁力（磁束を含む。以下同じ）は、上記棒体７を透過する。
【００２９】
上記外体１の下面の中段差部６の周囲には、環状に等間隔に複数例えば８つの埋め込み穴１２…が開けられている。この埋め込み穴１２…内には小粒または小球体の下方磁石体１３…が収納固定される。したがって、８個の環状配置の下方磁石体１３…は、上記巻回体９及び棒体７の周囲下方の外体１の下面の表面付近に環状に配置される。
【００３０】
この下方磁石体１３…は、ネオジウム磁石、フェライト磁石、アルニコ磁石、その他の磁石などからなり、この磁気／磁力は、上記下方固定体１０及び棒体７を透過する。上記下方固定体１０は、環状に配置された下方磁石体１３…の内側に位置固定される。
【００３１】
したがって、下方磁石体１３…、強磁性体の下方固定体１０、強磁性体の棒体７及び上方磁石体１１によって、磁気／磁力が透過する磁気回路が形成される。この磁気回路は、上記巻回体９の内側と外側とにわたってエンドレスの環状につながり、これがさらにドーナツ状に周環配置される。マッサージによって、巻回体９の中を透過する磁気量／磁束／磁力が変化するので、巻回体９を電流が流れたり、流れる電流量が変化したりする。
【００３２】
これら環状配置された下方磁石体１３…のさらに外側の外体１の下面／表面付近には円環状の下段差部１４が形成され、この下段差部１４の内側及び外側は、下方に向かってなだらかに球面状にやや膨らんでいる。
【００３３】
この段差部１４内には、円板状の下方覆体１５（導電体）がカシメ、接着、溶接またはねじ止めなどで、ほぼ隙間なく取り付け固定され、外体１の下面のほぼ全体にわたって下方覆体１５で覆われる。この下方覆体１５は外体１の下面に沿って下方に向かってなだらかに球面状にやや膨らんでおり、下方覆体１５の厚さは下方段差部１４の深さ／高さにほぼ一致している。
【００３４】
したがって、下方覆体１５を含む外体１の下面は、全体として凹凸がなく滑らかに、下方に向かってなだらかに球面状にやや膨らんだ状態となる。この下方覆体１５は、銅または銅合金などの導電性の材料からなっている。下方固定体１０は下方磁石体１３…の外面／下面／表面付近に配置され、下方磁石体１３…を覆っている。
【００３５】
アルミニウム製の外体１より銅製の下方覆体１５の方が、電気伝導性（電界、電束、電気力線の透過度。以下・以上同じ）がよく／高く、下方覆体１５が人体に当接接触して、アルミニウム製の外体１と銅製の下方覆体１５との間で接触電位差が生じ、コリ・痛みを改善でき、マッサージ効果が向上する。
【００３６】
同様に、アルミニウム製の外体１より銅製の上方固定体８の方が、電気伝導性がよく／高く、上方固定体８が人体に当接接触して、アルミニウム製の外体１と銅製の上方固定体８との間で接触電位差が生じ、コリ・痛みを改善でき、マッサージ効果が向上する。
【００３７】
アルミニウム製の外体１より銅製の下方覆体１５、上方固定体８、環帯体３の方が、熱伝導性がよく／高く、下方覆体１５、上方固定体８、環帯体３が人体に当接接触して、放熱効果を上げて外体１で拡散でき、コリ・痛みを改善でき、マッサージ効果が向上する。
【００３８】
また、アルミニウム製の外体１と、銅製の下方覆体１５、上方固定体８、環帯体３との間で、電気伝導率の違いによる接触電位差が数μＶ乃至数十μＶ、例えば１０μＶほど生じて、これが人体などの細胞を活性化させ、コリ・痛みを改善でき、マッサージ効果が向上する。
【００３９】
さらに、上記下方磁石体１３…のＮ極とＳ極の向きはすべて同じ方向に配置される。そして、下方磁石体１３…のＮ極が下向きであれば、上方磁石体１１のＮ極は上向きとなり、下方磁石体１３…のＳ極が下向きであれば、上方磁石体１１のＳ極は上向きとされる。これにより、磁気／磁力の流れが乱れず安定し、しかもマッサージ具のどの向き／方向でも磁気量／磁力が均一となり、磁気回路に乱れがなくなる。
【００４０】
上記下方固定体１０、上方固定体８、環帯体３、巻回体９、外体１は、銅製またはアルミニウム製などの反磁性体、弱磁性体、常磁性体または非磁性体である。したがって、下方磁石体１３…または／及び上方磁石体１１からの磁力／磁気が吸入されず、マッサージ具の外方に均一に大きく広がり、マッサージ具が当接接触される人体に磁力が十分に送り込まれ、コリ・痛みを改善でき、マッサージ効果が向上する。
【００４１】
上方磁石体１１または下方磁石体１３…と人体との間には、下方覆体１５、上方固定体８または環帯体３が介在して上方磁石体１１または下方磁石体１３…を覆っているので、上方磁石体１１または下方磁石体１３…の磁気／磁力による単なる血行促進／血流改善／リンパ改善効果だけでなく、コリ・痛みを改善でき、マッサージ効果が向上する。
【００４２】
上方固定体８、下方覆体１５または環帯体３によって、上方磁石体１１または下方磁石体１３…による、磁気／磁力マッサージ効果が向上する。
【００４３】
外体１は、単一の部品からなる一体成型物であるため、磁気／磁力の透過度、電気伝導度が均一となり、磁気が人体に与える効果によるコリ・痛みの改善、マッサージ効果が向上する。
【００４４】
また、外体１等の中には棒体７及び巻回体９が存在するので、外体１等が単一の部品からなる一体成型物であると、上記のコリ・痛みの改善、マッサージ効果が向上する。
【００４５】
この巻回体９の巻回回数は、１０回乃至１７回であり、望ましくは１２回乃至１５回、例えば１３．５回である。
【００４６】
マッサージ具及び外体は、上端及び下端両方とも磁気／磁力を発し、電気伝導性がよいが、下端の面積が広くて磁気／磁力を発する範囲も広く電気伝導の良い面積も広く、一方、上端の面積が狭くて磁気／磁力を発する範囲も狭く電気伝導の良い面積も狭いので、上端では比較的狭い範囲のマッサージに有効であり、下端では比較的広い範囲のマッサージに有効であり、さらに下端の延出部２の環帯体３は細長いので、手足の指の間などの狭い隙間のマッサージに有効である。
【００４７】
マッサージ具及び外体１の上半分は成人の手で握るのにちょうどよい大きさとされ、マッサージ具及び外体１の下面は成人の手の甲の部分とほぼ同じまたは若干小さい大きさとされ、マッサージ具及び外体１の上面は成人の親指と人指し指とで形成された環状とほぼ同じ大きさとされる。子供用の時には、さらに小さくされる。これにより、快適なマッサージ効果が達成される。
【００４８】
（２）他の実施の形態
本発明は、上記実施例に限定されず、種々変更可能である。例えば、本マッサージ具が当接接触されるのは、人体以外に動物であってもよい。本マッサージ具は上下逆さまにすれば、上方と下方が入れ替わるが、同様の構成であり、同様の作用効果を発揮する。
【００４９】
マッサージ具下方の延出部２は省略されて、マッサージ具の下端は上端と同じような構成／形状／機能で、マッサージ具が円柱状であってもよいし、逆にマッサージ具の上端は下端と同じように延出部２が形成された構成／形状／機能であってもよい。環帯体３は省略されて、上方固定体８及び下方覆体１５のみでもよい。
【００５０】
上方固定体８または／及び上方磁石体１１は省略されてもよいし、下方固定体１０、下方磁石体１３…または／及び下方覆体１５は省略されて、外体１の上端または下端のいずれか一方でマッサージするだけでもよい。
【００５１】
収納穴４はテーパー状でもよいし、球体状、卵形状、波形状に太い細いといった凹凸があってもよいし、螺旋状でもよい。上方磁石体１１は、下方磁石体１３…のように、複数の磁石が点在してもよいし、下方磁石体１３…は、上方磁石体１１のように単体でもよい。下方磁石体１３…は、環状のほか、碁盤状、放射線状に点在する状態に配置されてもよい。
【００５２】
上方磁石体１１または／及び下方磁石体１３…は、外体１の上面または下面のほか、外体１の側面に複数または単数固定されてもよい。この場合でも、各磁石１１…、１３…のＮ極または／及びＳ極の向きはそろえられる。
【００５３】
上方固定体８、下方覆体１５、環帯体３は、外体１の上面または下面、延出部２の外側面のほか、外体１の側面に複数または単数固定されてもよい。巻回体９の線材の断面は円形のほか、長方形などの多角形、正方形などの正多角形、楕円などでもよい。巻回体９は、二重、三重など、多層で複数が巻回されていてもよい。
【００５４】
上記外体１、延出部２、環帯体３、収納穴４、くびれ部５、段差部６、巻回体９、棒体７、上方固定体８、下方固定体１０、上方磁石体１１、埋め込み穴１２…、下方磁石体１３…の配置、段差部１４、下方覆体１５は、断面が円状または円環状のほか、正多角形、楕円、不均一な多角形などでもよい。
【００５５】
外体１は、テーパー状、柱状のほか、球体、卵形、直方体、立方体、円錐、円錐台、角錐、角錐台、多面体、正多面体、筒状、ブロック状などでもよい。棒体７は、円柱状、円筒状のほか、角柱状、球体、卵形、直方体、立方体、円錐、円錐台、角錐、角錐台、多面体、正多面体などでもよい。
【００５６】
上方固定体８は、筒状、板状、帯状、線状などどのような形状でもよく、下方覆体１５は、ブロック状、筒状、帯状、線状などどのような形状でもよく、環帯体３は、ブロック状、筒状、板状、線状などどのような形状でもよい。強磁性体の下方固定体１０は、外体１の下面ではなく、外体１の上面に取り付けられてもよい。
【００５７】
下方覆体１５、上方固定体８、環帯体３、巻回体９は、銅及び銅合金のほか、銀、金、すず、亜鉛、鉛、アルミニウム、カーボンナノチューブ、カーボン素材、これらの合金などの電気導電性が良く、しかも反磁性体、弱磁性体、常磁性体または非磁性体であれば何でもよい。
【００５８】
外体１は、アルミニウム製のほか、すず、プラチナ、マンガン、ビスマス、亜鉛、鉛、カーボンナノチューブ、カーボン素材、これらの合金などの電気導電性が良く、しかも反磁性体、弱磁性体、常磁性体または非磁性体であれば何でもよいし、複数部品から構成されてもよい。
【００５９】
棒体７、下方固定体１０は、鉄、ニッケル、コバルト、マンガン、ガドリウム、テルビウム、ステンレスのほか、フェライト、ＭＫ鋼、新ＫＳ鋼などからなっていてもよい。収納穴４、巻回体９及び／または棒体７は、省略されてもよい。
【００６０】
本マッサージ具の大きさは手の甲ぐらいの大きさのほか、人間の指の先ぐらいの大きさでも、人間の頭部または背中ぐらいの大きさでもよい。本マッサージ具は人体に対するもののほか、犬、猫、猿、馬、牛、羊などの家畜、ペットまたは動物に対するものでもよい。
【００６１】
棒体７の上端または下端は、上方固定体８または下方固定体１０に固定されるのではなく、外体１に固定されてもよい。この場合、棒体７の上端は、収納穴４の上方に形成されたねじ面に螺合される、または棒体７の下端は、収納穴４の下方に形成されたねじ面に螺合される。この螺合は、カシメ、接着、溶接またはねじ止めなどでもよい。
【００６２】
外体１、延出部２、環帯体３、収納穴４、くびれ部５、中差部６、棒体７、上方固定体８、巻回体９、下方固定体１０、上方磁石体１１、埋め込み穴１２…、下方磁石体１３…、下段差部１４、下方覆体１５の一部または全体は省略されてもよいし、分割分離されてその数が増えても減ってもよいし、その形状は任意に変更可能であり、均等の他の物に置き換えられてもよい。
【００６３】
外体１、延出部２、環帯体３、収納穴４、くびれ部５、中差部６、棒体７、上方固定体８、巻回体９、下方固定体１０、上方磁石体１１、埋め込み穴１２…、下方磁石体１３…、下段差部１４、下方覆体１５の２つまたは３つ以上が合体または一体化されて兼用されてもよいし、これらの材質は金属製のほか、硬質樹脂製、軟質樹脂製、木製、集成材製、合成材製、合板製、表面に化粧紙が接着されたもの、竹製、樹脂製、金属製、ガラス製、綿製、布製、糸製、繊維製、ゴム製、紙製、セラミック製、カーボン製、硬質ウレタン製、これらの合成物製／混合物製／多層積層物製でもよい。
【００６４】
（３）他の発明の効果
［１］導電性の材料からなり、ブロック状の外体と、  この外体の中央に、当該外体の延出部の延出方向に直交する方向に形成された穴状の収納穴と、  この収納穴に収納された導電性の材料からなる線材が螺旋状に巻回された巻回体と、  この巻回体の中心に配置された強磁性の材料からなる棒体と、  上記巻回体及び棒体の下方または上方の上記外体の表面付近に配置された上方磁石体または下方磁石体とを備えたことを特徴とするマッサージ具。
【００６５】
これにより、外体等の中には棒体及び巻回体が存在するので、外体等が単一の部品からなる一体成型物であると、上記のコリ・痛みの改善、マッサージ効果が向上する。
【００６６】
［２］上記上方磁石体または下方磁石体の外面には導電性の材料からなる導電体が配置され、この導電体は上方磁石体または下方磁石体を覆っていることを特徴とする請求項１記載のマッサージ具。
【００６７】
これにより、上方磁石体または下方磁石体と人体との間には、下方覆体、上方固定体または環帯体が介在して上方磁石体または下方磁石体を覆っているので、上方磁石体または下方磁石体の磁気／磁力による単なる血行促進／血流改善／リンパ改善効果だけでなく、コリ・痛みを改善でき、マッサージ効果が向上する。
【００６８】
上方固定体、下方覆体または環帯体によって、上方磁石体または下方磁石体による、磁気／磁力マッサージ効果が向上する。
【００６９】
［３］上記下方磁石体は、上記巻回体及び棒体の周囲下方の上記外体の表面付近に環状に配置され、  この環状の複数の下方磁石体の内側で、上記収納穴の下方で、上記外体の下面には下方固定体が取り付けられ、この下方固定体は強磁性体の材料からなることを特徴とする請求項２記載のマッサージ具。
【００７０】
これにより、マッサージ具の下面に広く磁気／磁力を分散させて、磁気／磁力によるマッサージを広い範囲で実行できる。
【００７１】
［４］上記下方磁石体の外面の導電体は、外体の下面のほぼ全体にわたって取り付けられた、導電性の材料からなる覆体であることを特徴とする請求項３記載のマッサージ具。
【００７２】
［５］上記収納穴の上方から装着される上方固定体と、上記下方固定体とに、上記棒体は固定されて、上記収納穴内に固定され、  上記上方磁石体は、この上方固定体内に固定されていることを特徴とする請求項２記載のマッサージ具。
【００７３】
これにより、上方磁石体１１の覆いと、上方磁石体１１の固定と、棒体７及び巻回体９の固定とを一括して同時に行うことができる。
【００７４】
［６］上記外体の下方の周囲が外方に延出されて延出部が形成され、  上記下方磁石体の外面の導電体は、上記外体の延出部の外縁に取り付けられた環状の環体であることを特徴とする請求項２記載のマッサージ具。
【００７５】
これにより、外体の下面または上面だけでなく、側面でも、マッサージを実行できる。
【００７６】
［７］上記外体、巻回体、覆体、環体、上方固定体、棒体のうち、外体、巻回体、覆体、環体または上方固定体は反磁性体、弱磁性体、常磁性体または非磁性体であり、外体は、巻回体、覆体、環体または上方固定体より、電気導電性が低く、棒体または下方固定体は強磁性体であることを特徴とする請求項２、３、４、５または６記載のマッサージ具。
【００７７】
これにより、外体より覆体、環体または上方固定体の方が、電気伝導性がよく／高く、覆体、環体または上方固定体が人体に当接接触して、電気伝導率の違いによる接触電位差が生じて、これが人体などの細胞を活性化させ、さらに熱伝導の良さから人体からの熱を吸収して放熱させるので、コリ・痛みを改善でき、マッサージ効果が向上する。
【００７８】
［８］上記外体は、アルミニウム、亜鉛、すず、鉛またはこれらを含む合金であり、覆体、環体または上方固定体は、銅、銀、金またはこれらを含む合金であり、これら外体と覆体、環体または上方固定体との間には接触電位差が生じることを特徴とする請求項７記載のマッサージ具。
【００７９】
これにより、外体より覆体、環体または上方固定体の方が、電気伝導性がよく／高く、覆体、環体または上方固定体が人体に当接接触して、電気伝導率の違いによる接触電位差が生じて、これが人体などの細胞を活性化させ、さらに熱伝導の良さから人体からの熱を吸収して放熱させるので、コリ・痛みを改善でき、マッサージ効果が向上する。
【産業上の利用可能性】
【００８０】
可動部分のないマッサージ具によって、コリ・痛みの改善をする。導電性かつ常磁性体の外体１内には、強磁性体の棒体７に巻回された導電性の巻回体９と、この棒体７及び巻回体９の上方には上方磁石体１１、下方には下方磁石体１３…が配置され、この磁力によってマッサージされる。
【００８１】
外体１が一体成型物であると、上記のコリ・痛みの改善、マッサージ効果が向上する。
【００８２】
上方磁石体１１または下方磁石体１３…の外面には導電性の上方固定体８または下方覆体１５が配置されて覆われる。よって、上記磁力によるマッサージ効果が向上する。
【図面の簡単な説明】
【００８３】
【図１】マッサージ具の全体外観を示す。
【図２】マッサージ具の縦断面を示す。
【図３】マッサージ具の底面を示す。
【図４】マッサージ具の平面を示す。
【符号の説明】
【００８４】
１…外体、２…延出部、
３…環帯体（環体、導電体）、４…収納穴、
５…くびれ部、６…中段差部、
７…棒体、８…上方固定体（導電体）、
９…巻回体、１０…下方固定体、
１１…上方磁石体、１２…埋め込み穴、
１３…下方磁石体、１４…下段差部、
１５…下方覆体（導電体、板体）。
【図１】
0005851923.tif 000002
【図２】
0005851923.tif 000003
【図３】
0005851923.tif 000004
【図４】
0005851923.tif 000005